(57)【要約】【課題】被験者の容体に応じて通知先ごとに適切な内容の情報を送信する医療用監視装置を提供する。【解決手段】医療用監視装置１００は、被験者４００の容体を第１時間間隔Ｔ１ごとに測定して、容体を表す容体情報を生成する測定部１１１と、測定部１１１により生成された容体情報が正常か異常か判定する判定部１１２と、通知先を指定するアドレスを複数記憶しているアドレス記憶部１２１と、判定部１１２による判定結果に応じて、アドレス記憶部１２１に記憶されているアドレスごとに異なるアラーム情報を生成するアラーム生成部１１３と、アラーム生成部１１３により生成されたアラーム情報をそれぞれ、当該アラーム情報に対応するアドレスにネットワーク２００を介して送信する送信部１１４と、を含む。【選択図】図１
2010220759.tif 000002
【特許請求の範囲】
【請求項１】
被験者の容体を第１時間間隔ごとに測定して、前記容体を表す容体情報を生成する測定手段と、
前記測定手段により生成された前記容体情報が正常か異常か判定する判定手段と、
通知先を指定するアドレスを複数記憶しているアドレス記憶手段と、
前記判定手段による判定結果に応じて、前記アドレス記憶手段に記憶されている前記アドレスごとに異なるアラーム情報を生成するアラーム生成手段と、
前記アラーム生成手段により生成された前記アラーム情報をそれぞれ、当該アラーム情報に対応する前記アドレスにネットワークを介して送信する送信手段と、
を備える医療用監視装置。
【請求項２】
請求項１に記載の医療用監視装置であって、
前記アラーム生成手段は、
前記アドレス記憶手段に記憶されている前記アドレスのうち第１アドレスに対応して、前記測定手段により生成された前記容体情報を含む詳細アラーム情報を生成し、
前記アドレス記憶手段に記憶されている前記アドレスのうち第２アドレスに対応して、前記詳細アラーム情報より簡易である簡易アラーム情報を生成することを特徴とする医療用監視装置。
【請求項３】
請求項２に記載の医療用監視装置であって、
前記測定手段により生成される前記容体情報を記憶する容体情報記憶手段を備え、
前記アラーム生成手段は、前記容体情報記憶手段に記憶された前記容体情報のうち異なる時刻に生成された複数の前記容体情報を前記詳細アラーム情報に内包させることを特徴とする医療用監視装置。
【請求項４】
請求項３に記載の医療用監視装置であって、
前記アラーム生成手段は、
前記容体情報記憶手段に記憶された前記容体情報のうち少なくとも一つの前記容体情報を前記簡易アラーム情報に内包させて、
前記簡易アラーム情報に内包される前記容体情報と、当該容体情報とは異なる時刻に生成された少なくとも一つの前記容体情報と、を前記詳細アラーム情報に内包させることを特徴とする医療用監視装置。
【請求項５】
請求項３または４に記載の医療用監視装置であって、
前記第１時間間隔よりも長い第２時間間隔ごとに前記容体情報記憶手段に記憶された前記容体情報の少なくとも一部を内包する通常報告情報を生成する通常報告生成手段を備え、
前記送信手段は、前記通常報告生成手段により生成された前記通常報告情報を前記第１アドレスに送信することを特徴とする医療用監視装置。
【請求項６】
請求項２乃至５のいずれかに記載の医療用監視装置であって、
前記送信手段は、前記詳細アラーム情報または前記簡易アラーム情報の少なくとも一方を電子メール形式で送信することを特徴とする医療用監視装置。
【請求項７】
請求項１乃至６のいずれかに記載の医療用監視装置であって、
前記判定結果を記憶する判定結果記憶手段と、
前記判定結果記憶手段に前記判定結果が記憶されるごとに、新たに記憶された新規判定結果と前回記憶された前回判定結果とを比較する比較手段と、を備え、
前記アラーム生成手段は、前記比較手段により前記新規判定結果と前記前回判定結果とが異なると判定されたとき、前記アラーム情報を生成することを特徴とする医療用監視装置。
【請求項８】
請求項７に記載の医療用監視装置であって、
前記アラーム生成手段は、
前記比較手段により繰り返された判定の結果が、前記新規判定結果と前記前回判定結果とが異なると判定された後、前記新規判定結果と前記前回判定結果とが等しいと所定の回数判定されたとき、前記アラーム情報を生成することを特徴とする医療用監視装置。
【請求項９】
請求項１乃至８のいずれかに記載の医療用監視装置であって、
前記被験者と当該被験者の周囲を撮像して生成される画像データを前記容体情報として処理する撮像処理手段と、
前記撮像処理手段により処理された前記画像データを解析することにより前記被験者の位置を検出する位置検出手段と、を備え、
前記判定手段は、
当該被験者の位置が前記所定範囲内に収まらないとき異常と判定することを特徴とする医療用監視装置。
【請求項１０】
請求項９に記載の医療用監視装置であって、
前記アラーム生成手段は、前記撮像手段により生成された前記画像データを前記容体情報として前記アラーム情報に内包させることを特徴とする医療用監視装置。
【請求項１１】
請求項９または１０に記載の医療用監視装置であって、
前記送信手段は、前記ネットワークに有線接続することを特徴とする医療用監視装置。
【請求項１２】
請求項１乃至１１のいずれかに記載の医療用監視装置であって、
前記ネットワークにより通信可能なデータ容量を計測する通信容量計測手段を備え、
前記アラーム生成手段は、前記通信容量計測手段により計測される前記データ容量以下で前記アラーム情報を生成することを特徴とする医療用監視装置。
【請求項１３】
被験者の容体を第１時間間隔ごとに測定して、前記容体を表す容体情報を生成する測定ステップと、
前記測定ステップにおいて生成された前記容体情報が正常か異常か判定する判定ステップと、
前記判定ステップにおける判定結果に応じて、通知先を指定する複数のアドレスごとに異なるアラーム情報を生成するアラーム生成ステップと、
前記アラーム生成ステップにおいて生成された前記アラーム情報をそれぞれ、当該アラーム情報に対応する前記アドレスにネットワークを介して送信する送信ステップと、
を備える医療用監視方法。
【請求項１４】
請求項１３に記載の医療用監視方法であって、
前記アラーム生成ステップにおいて、
前記複数のアドレスのうち第１アドレスに対応する前記アラーム情報として、前記測定ステップにおいて生成された前記容体情報を含む詳細アラーム情報を生成し、
前記複数のアドレスのうち第２アドレスに対応する前記アラーム情報として、前記詳細アラーム情報より簡易である簡易アラーム情報を生成することを特徴とする医療用監視方法。
【請求項１５】
請求項１４に記載の医療用監視方法であって、
前記測定ステップにおいて生成される前記容体情報を記憶する容体情報記憶ステップを備え、
前記アラーム生成ステップにおいて、前記容体情報記憶ステップにおいて記憶された前記容体情報のうち異なる時刻に生成された複数の前記容体情報を前記詳細アラーム情報に内包させることを特徴とする医療用監視方法。
【請求項１６】
請求項１５に記載の医療用監視方法であって、
前記アラーム生成ステップにおいて、
前記容体情報記憶ステップにおいて記憶された前記容体情報のうち少なくとも一つの前記容体情報を前記簡易アラーム情報に内包させて、
前記簡易アラーム情報に内包される前記容体情報と、当該容体情報とは異なる時刻に生成された少なくとも一つの前記容体情報と、を前記詳細アラーム情報に内包させることを特徴とする医療用監視方法。
【請求項１７】
請求項１５または１６に記載の医療用監視方法であって、
前記第１時間間隔よりも長い第２時間間隔ごとに前記容体情報記憶ステップにおいて記憶された前記容体情報の少なくとも一部を内包する通常報告情報を生成する通常報告生成ステップを備え、
前記送信ステップにおいて、前記通常報告生成ステップにおいて生成された前記通常報告情報を前記第１アドレスに送信することを特徴とする医療用監視方法。
【請求項１８】
請求項１４乃至１７のいずれかに記載の医療用監視方法であって、
前記送信ステップにおいて、前記詳細アラーム情報または前記簡易アラーム情報の少なくとも一方を電子メール形式で送信することを特徴とする医療用監視方法。
【請求項１９】
請求項１３乃至１８のいずれかに記載の医療用監視方法であって、
前記判定結果を記憶する判定結果記憶ステップと、
今回の前記判定結果記憶ステップにおいて新たに記憶された新規判定結果と、前回の前記判定結果記憶ステップにおいて記憶された前回判定結果と、を比較する比較ステップと、を備え、
前記比較ステップにおいて前記新規判定結果と前記前回判定結果とが異なると判定されたとき、前記アラーム生成ステップにおいて前記アラーム情報を生成することを特徴とする医療用監視方法。
【請求項２０】
請求項１９に記載の医療用監視方法であって、
前記アラーム生成ステップにおいて、
前記比較ステップを繰り返して得られた結果が、前記新規判定結果と前記前回判定結果とが異なると判定された後、前記新規判定結果と前記前回判定結果とが等しいと所定の回数判定されたとき、前記アラーム情報を生成することを特徴とする医療用監視方法。
【請求項２１】
請求項１３乃至２０のいずれかに記載の医療用監視方法であって、
前記被験者と当該被験者の周囲を撮像して生成される画像データを前記容体情報として処理する撮像処理ステップと、
前記撮像処理ステップにおいて処理された前記画像データを解析することにより前記被験者の位置を検出する位置検出ステップと、を備え、
前記判定ステップにおいて、当該被験者の位置が前記所定範囲内に収まらないとき異常と判定することを特徴とする医療用監視方法。
【請求項２２】
請求項２１に記載の医療用監視方法であって、
前記アラーム生成ステップにおいて、前記撮像処理ステップにより処理された前記画像データを前記容体情報として前記アラーム情報に内包させることを特徴とする医療用監視方法。
【請求項２３】
請求項２１または２２に記載の医療用監視方法であって、
前記送信ステップにおいて、有線接続する前記ネットワークを介して前記アラーム情報を送信することを特徴とする医療用監視方法。
【請求項２４】
請求項１３乃至２３のいずれかに記載の医療用監視方法であって、
前記ネットワークにおいて通信可能なデータ容量を計測する通信容量計測ステップを備え、
前記アラーム生成ステップにおいて、前記通信容量計測ステップにおいて計測される前記データ容量以下で前記アラーム情報を生成することを特徴とする医療用監視方法。
【請求項２５】
被験者の容体を監視する医療用監視装置と、
前記医療用監視装置とネットワークを介して通信可能な複数の情報端末と、を備え、
前記医療用監視装置は、
被験者の容体を第１時間間隔ごとに測定して、前記容体を表す容体情報を生成する測定手段と、
前記測定手段により生成された前記容体情報が正常か異常か判定する判定手段と、
複数の前記情報端末を個別に指定するアドレスを複数記憶しているアドレス記憶手段と、
前記判定手段による判定結果に応じて、前記アドレス記憶手段に記憶されている前記アドレスごとに異なるアラーム情報を生成するアラーム生成手段と、
前記アラーム生成手段により生成された前記アラーム情報をそれぞれ、当該アラーム情報に対応する前記アドレスにより指定される前記情報端末に送信する送信手段と、
を含むことを特徴とするアラーム通知システム。
【請求項２６】
コンピュータにより読み出し可能な記憶媒体に格納されるプログラムであって、
被験者の容体を第１時間間隔ごとに測定して、前記容体を表す容体情報を生成する測定処理と、
前記測定処理において生成された前記容体情報が正常か異常か判定する判定処理と、
前記判定処理による判定を示す判定結果に応じて、通知先を指定する複数のアドレスごとに異なるアラーム情報を生成するアラーム生成処理と、
前記アラーム生成処理において生成された前記アラーム情報をそれぞれ、当該アラーム情報に対応する前記アドレスにネットワークを介して送信する送信処理と、
を前記コンピュータに実行させることを特徴とするプログラム。
【発明の詳細な説明】
【技術分野】
【０００１】
本発明は、医療用監視装置、医療用監視方法、アラーム通知システムおよびプログラムに関する。
【背景技術】
【０００２】
重篤な状態で病院に入院している患者の家族や近親者は、患者の状態を知るためには病院に詰める必要があり、心身ともに負担が大きい。また、在宅医療で自宅にて治療している患者の場合、医療関係者が傍にいることは稀である。患者が発作を起こす等の緊急時には、患者や患者の家族等が医療関係者に連絡する、または救急車を呼ぶといった対応を取るが、連絡が遅くなり致命的になる場合がある。
【０００３】
上述のようなケースに対処するため、患者の容体を監視し、異常時には遠方にアラームを通知する監視装置が種々考案されている。
【０００４】
この種の技術として、特許文献１（特開平１１−７００８６号公報）には次のような技術が記載されている。当該技術は、監視装置が測定している脈拍や心電等が異常であるとき、当該監視装置に接続している携帯電話機から監視センターに通報される。監視センターは携帯電話機の端末ＩＤに対応する患者のカルテを関係各所に出力することができる。
【０００５】
また、この種の技術として、特許文献２（特開２００２−１０２１７９号公報）には次のような技術が記載されている。当該技術は、被験者の容体を測定する機能を有する携帯電話機である。また、当該携帯電話機は、容体に異常が検出されたとき、通話や電子メール等で外部に通報することができる。
【０００６】
また、この種の技術として、特許文献３（特開平１１−７００８８号公報）には次のような技術が記載されている。当該技術は、被験者の容体を測定して心電図を生成する機能を有する携帯電話機である。また、当該携帯電話機は、生成された心電図の異常度に応じて通話先を選択し、自動的にコールすることができる。
【０００７】
また、この種の技術として、特許文献４（特開平１０−１６５３７７号公報）には次のような技術が記載されている。当該技術は、測定された被験者の容体を表示出力するディスプレイを備える監視装置である。また、上記監視装置は、測定された容体が異常であるとき異常を示す無線信号を送信し、当該無線信号を受信する受信機を医療関係者に携帯させることで、医療関係者に被験者の容体が異常であることを通報することができる。さらに、上記受信機が上記監視装置と遠距離にあることを検知すると上記ディスプレイはオフとなり近距離にあることを検知すると上記ディスプレイはオンとなる。
【先行技術文献】
【特許文献】
【０００８】
【特許文献１】特開平１１−７００８６号公報
【特許文献２】特開２００２−１０２１７９号公報
【特許文献３】特開平１１−７００８８号公報
【特許文献４】特開平１０−１６５３７７号公報
【発明の概要】
【発明が解決しようとする課題】
【０００９】
しかしながら上記技術は、以下の点で改善の余地を有していた。監視装置等が被験者の容体に応じて何らかの情報を遠方に通知するとしても、その通知先が誰であるかによって、必要とされる情報は異なる。例えば、専門的な医療知識を有する医療関係者なら患者の容体を詳細に知る必要があるが、患者の近親者であれば容体が急変したことさえ分かればよい。しかし、上記技術はいずれにおいても、通知される情報（信号）の内容は通知先に関わらず一定であり、被験者の関係者全体に送信する情報として適切ではなかった。
【００１０】
本発明は上記事情に鑑みてなされたものであり、その目的とするところは、被験者の容体に応じて通知先ごとに適切な内容の情報を送信する医療用監視装置、医療用監視方法、アラーム通知システムおよびプログラムを提供することにある。
【課題を解決するための手段】
【００１１】
本発明によれば、被験者の容体を第１時間間隔ごとに測定して、前記容体を表す容体情報を生成する測定手段と、前記測定手段により生成された前記容体情報が正常か異常か判定する判定手段と、通知先を指定するアドレスを複数記憶しているアドレス記憶手段と、前記判定手段による判定結果に応じて、前記アドレス記憶手段に記憶されている前記アドレスごとに異なるアラーム情報を生成するアラーム生成手段と、前記アラーム情報をそれぞれ、前記アラーム生成手段により生成された当該アラーム情報に対応する前記アドレスにネットワークを介して送信する送信手段と、を備えることを特徴とする医療用監視装置が提供される。
【００１２】
また、本発明によれば、被験者の容体を第１時間間隔ごとに測定して、前記容体を表す容体情報を生成する測定ステップと、前記測定ステップにおいて生成された前記容体情報が正常か異常か判定する判定ステップと、前記判定ステップにおける判定結果に応じて、通知先を指定する複数のアドレスごとに異なるアラーム情報を生成するアラーム生成ステップと、前記アラーム生成ステップにおいて生成された前記アラーム情報をそれぞれ、当該アラーム情報に対応する前記アドレスにネットワークを介して送信する送信ステップと、を備えることを特徴とする医療用監視方法が提供される。
【００１３】
さらに、本発明によれば、被験者の容体を監視する医療用監視装置と、前記医療用監視装置とネットワークを介して通信可能な複数の情報端末と、を備え、前記医療用監視装置は、被験者の容体を第１時間間隔ごとに測定して、前記容体を表す容体情報を生成する測定手段と、前記測定手段により生成された前記容体情報が正常か異常か判定する判定手段と、複数の前記情報端末を個別に指定するアドレスを複数記憶しているアドレス記憶手段と、前記判定手段による判定結果に応じて、前記アドレス記憶手段に記憶されている前記アドレスごとに異なるアラーム情報を生成するアラーム生成手段と、前記アラーム生成手段により生成された前記アラーム情報をそれぞれ、当該アラーム情報に対応する前記アドレスにより指定される前記情報端末に送信する送信手段と、を含むことを特徴とするアラーム通知システムが提供される。
【００１４】
さらに、本発明によれば、コンピュータにより読み出し可能な記憶媒体に格納されるプログラムであって、被験者の容体を第１時間間隔ごとに測定して、前記容体を表す容体情報を生成する測定処理と、前記測定処理において生成された前記容体情報が正常か異常か判定する判定処理と、前記判定処理による判定結果に応じて、通知先を指定する複数のアドレスごとに異なるアラーム情報を生成するアラーム生成処理と、前記アラーム生成処理において生成された前記アラーム情報をそれぞれ、当該アラーム情報に対応する前記アドレスにネットワークを介して送信する送信処理と、を前記コンピュータに実行させることを特徴とするプログラムが提供される。
【発明の効果】
【００１５】
上記発明によれば、被験者の容体を示す容体情報に応じて通知先（アドレス）ごとに異なるアラーム情報を生成して、対応する通知先（アドレス）に当該アラーム情報を送信することができる。これにより、通知先ごとに適切な内容のアラーム情報を送信することができる。
【００１６】
本発明によれば、被験者の容体に応じて通知先ごとに適切な内容の情報を送信する医療用監視装置、医療用監視方法、アラーム通知システムおよびプログラムが提供される。
【図面の簡単な説明】
【００１７】
【図１】本発明の第１の実施形態に係るアラーム通知システムの機能ブロック図である。
【図２】本発明の第１の実施形態に係る医療用監視方法を表すフローチャートである。
【図３】本発明の第２の実施形態に係るアラーム通知システムの機能ブロック図である。
【図４】本発明の第２の実施形態に係る医療用監視方法を表すフローチャートである。
【図５】本発明の第３の実施形態に係るアラーム通知システムの機能ブロック図である。
【図６】本発明の第３の実施形態に係る医療用監視方法を表すフローチャートである。
【発明を実施するための形態】
【００１８】
以下、本発明の実施の形態について、図面を用いて説明する。尚、すべての図面において、同様な構成要素には同様の符号を付し、適宜説明を省略する。
【００１９】
〔第１の実施形態〕
図１は、本発明の第１の実施形態に係るアラーム通知システム１０００の機能ブロック図である。本実施形態のアラーム通知システム１０００は、被験者４００の容体を監視する医療用監視装置１００を備える。また、アラーム通知システム１０００は、医療用監視装置１００とネットワーク２００を介して通信可能な第１情報端末３１０と第２情報端末３２０と（複数の情報端末）を備える。
【００２０】
第１情報端末３１０および第２情報端末３２０は、それぞれパーソナルコンピュータ、モバイル端末、携帯電話機またはＰＨＳ等の汎用的なコンピュータ装置であってもよいし、アラーム通知システム１０００専用のコンピュータ装置であってもよい。また、医療用監視装置１００は、ネットワーク２００を解して第１情報端末３１０または第２情報端末３２０と同等のコンピュータ装置と更に通信可能であってもよい。
【００２１】
ネットワーク２００は、インターネット、公衆電話網またはＬＡＮ等であってもよいし、これらを複数組み合わせたものであってもよい。また、ネットワーク２００は図１には図示していない他の装置を含んでもよく、医療用監視装置１００と第１情報端末３１０（または第２情報端末３２０）との通信は上記他の装置を介して行われてもよい。
【００２２】
医療用監視装置１００は、被験者４００の容体を第１時間間隔Ｔ１ごとに測定して、容体を表す容体情報を生成する測定部１１１を含む。また、医療用監視装置１００は、測定部１１１により生成された容体情報が正常か異常か判定する判定部１１２を含む。さらに、医療用監視装置１００は、通知先を指定するアドレスを複数記憶しているアドレス記憶部１２１を含む。さらに、医療用監視装置１００は、判定部１１２による判定結果に応じて、アドレス記憶部１２１に記憶されているアドレスごとに異なるアラーム情報を生成するアラーム生成部１１３を含む。さらに、医療用監視装置１００は、アラーム生成部１１３により生成されたアラーム情報をそれぞれ、当該アラーム情報に対応するアドレスにネットワーク２００を介して送信する送信部１１４を含む。
【００２３】
ここに挙げた測定部１１１、判定部１１２、アラーム生成部１１３および送信部１１４は、情報処理部１１０に内包される。また、アドレス記憶部１２１は、記憶部１２０が有する記憶領域の一部または全部を用いて実現される。
【００２４】
情報処理部１１０に内包される構成要素の全部または一部は、ハードウェアで実現されてもよいし、あるいは、プロセッサに処理を実行させるプログラム（またはプログラムコード）で実現されてもよい。プロセッサは、不揮発性メモリなどの記録媒体からそのプログラムを読み出し実行する。本実施形態において、プロセッサは情報処理部１１０であってもよく、記憶媒体は記憶部１２０であってもよい。
【００２５】
情報処理部１１０に内包される構成がプログラムによって実施される場合、当該プログラムはプロセッサ（コンピュータ）により読み出し可能な記憶媒体に格納される。そして、当該プログラムは、被験者４００の容体を第１時間間隔Ｔ１ごとに測定して、容体を表す容体情報を生成する測定処理をプロセッサに実行させる。また、当該プログラムは、測定処理において生成された容体情報が正常か異常か判定する判定処理をプロセッサに実行させる。さらに、当該プログラムは、判定処理による判定結果に応じて、通知先を指定する複数のアドレスごとに異なるアラーム情報を生成するアラーム生成処理をプロセッサに実行させる。さらに、当該プログラムは、アラーム生成処理において生成されたアラーム情報をそれぞれ、当該アラーム情報に対応するアドレスにネットワーク２００を介して送信する送信処理をプロセッサに実行させる。
【００２６】
測定部１１１は、被験者４００に装着されるセンサ１３１およびセンサ１３２から受け付けた電気信号に基づいて被験者４００の容体を計測する。測定部１１１は、心拍数、血圧値、呼吸数および動脈血の酸素飽和度のうち少なくとも一つを被験者４００の容体として測定する。そして、センサ１３１およびセンサ１３２は、測定部１１１が測定する被験者４００の容体に応じて、それぞれの仕様、数または装着位置を変えてもよい。
【００２７】
なお、センサ１３１およびセンサ１３２は、医療用監視装置１００の一部であってもよいし、医療用監視装置１００が装着可能な外部ツールであってもよい。
【００２８】
また、測定部１１１は第１時間間隔Ｔ１ごとに被験者４００の容体を測定する。ここで、第１時間間隔Ｔ１とは、一定間隔であってもよいし、不定間隔であってもよい。また、第１時間間隔Ｔ１は、デフォルトで設定されていてもよく、操作入力部（図示せず）が受け付けたユーザの操作入力に応じて設定可能であってもよい。
【００２９】
さらに、測定部１１１は、測定された被験者４００の容体を表す容体情報を生成する。ここで、容体情報とは、それぞれの容体を定量的に示す情報であってもよいし、定性的に示す情報であってもよい。例えば、「心拍数８０」、「登録されている血圧値より高い」等を示す情報であってもよい。
【００３０】
判定部１１２は、所定のルールに基づいて測定部１１１により生成された容体情報が正常か異常かを判定する。ここで、所定のルールとは、例えば「心拍数が４０以上１２０以下を示すときは正常」、「登録されている血圧値より高いときは異常」等であってもよい。
【００３１】
また、測定部１１１が同時刻に複数の容体情報を生成するとき、判定部１１２は、容体情報がそれぞれ正常か異常かを判定してもよい。このとき、判定部１１２により容体情報のうち少なくとも一つが異常と判定されるとき、アラーム生成部１１３はアラーム情報を生成してもよい。
【００３２】
アラーム生成部１１３は、測定部１１１により生成された容体情報をアラーム情報に内包させてもよい。また、アラーム生成部１１３は、測定部１１１が測定した時刻、判定部１１２が異常と判定した時刻またはアラーム生成部１１３がアラーム情報を生成する時刻等を示す時刻情報をアラーム情報に内包させてもよい。
【００３３】
本実施形態のアラーム生成部１１３は、判定部１１２の判定結果が異常であるとき、アドレス記憶部１２１に記憶されているアドレスごとに異なるアラーム情報を生成する。
【００３４】
アドレス記憶部１２１は、少なくとも第１情報端末３１０と第２情報端末３２０のアドレスを含む複数のアドレスを記憶している。ここで、第１情報端末３１０を指定するアドレスを第１アドレスとし、第２情報端末３２０を指定するアドレスは第２アドレスとする。
【００３５】
そして、アラーム生成部１１３は、第１アドレスに対応して、測定部１１１により生成された容体情報を含む詳細アラーム情報を生成する。また、アラーム生成部１１３は、第２アドレスに対応して、詳細アラーム情報より簡易である簡易アラーム情報を生成する。
【００３６】
この場合、第１情報端末３１０は、詳細な情報を要する医療関係者に対して詳細アラーム情報を出力（表示出力、印字出力等）可能であることが望ましい。また、第２情報端末３２０は、詳細な情報を理解するだけの専門知識を有さない一般人、例えば被験者４００の近親者等に対して簡易アラーム情報を出力可能であることが望ましい。
【００３７】
なお、アドレス記憶部１２１は、個別に詳細アラーム情報または簡易アラーム情報のいずれかと対応させたアドレスを記憶していてもよい。このとき、アラーム生成部１１３は、アドレス記憶部１２１からアドレスを読み出すとともに、当該アドレスに対応するアラーム情報（詳細アラーム情報または簡易アラーム情報）を生成してもよい。
【００３８】
または、アドレス記憶部１２１は、複数のアドレス群に分類して複数のアドレスを記憶しており、この複数のアドレス群ごとに詳細アラーム情報に対応させるか、または簡易アラーム情報に対応させるか設定されたアドレスを記憶していてもよい。このとき、アラーム生成部１１３は、アドレス記憶部１２１から読み出したアドレスが分類されているアドレス群に対応するアラーム情報（詳細アラーム情報または簡易アラーム情報）を生成してもよい。
【００３９】
送信部１１４は、詳細アラーム情報または簡易アラーム情報の少なくとも一方を電子メール形式で送信する。特に、簡易アラーム情報は、電子メール形式で送信されることが望ましい。簡易アラーム情報を受信する第２情報端末３２０は、被験者４００の近親者等の一般人（医療に関する専門知識が乏しい者）が所有している汎用的なコンピュータ装置であることが想定される。利便性を考慮すると簡易アラーム情報は電子メール形式で送信されることが望ましい。
【００４０】
また、詳細アラーム情報を受信する第１情報端末３１０は、アラーム通知システム１０００専用のコンピュータ装置であって、詳細アラーム情報に基づいて解析する機能や、解析結果を出力（表示出力、印字出力等）する機能等を備えていることが望ましい。この場合、詳細アラーム情報は必ずしも電子メール形式である必要はなく、送信部１１４は、詳細アラーム情報をアラーム通知システム１０００専用のデータ形式で送信してもよい。
【００４１】
図２は、本実施形態に係る医療用監視方法を表すフローチャートである。本実施形態の医療用監視方法は、被験者４００の容体を第１時間間隔Ｔ１ごとに測定して、容体を表す容体情報を生成する測定ステップ（ステップＳ１０１）を備える。また、この医療用監視方法は、測定ステップ（ステップＳ１０１）において生成された容体情報が正常か異常か判定する判定ステップ（ステップＳ１０２）を備える。さらに、この医療用監視方法は、判定ステップにおける判定結果に応じて（ステップＳ１０３）、通知先を指定する複数のアドレスごとに異なるアラーム情報を生成するアラーム生成ステップ（ステップＳ１０４）を備える。さらに、この医療用監視方法は、アラーム生成ステップ（ステップＳ１０４）において生成されたアラーム情報をそれぞれ、当該アラーム情報に対応するアドレスにネットワーク２００を介して送信する送信ステップ（ステップＳ１０５）を備える。
【００４２】
この医療用監視方法は、アラーム生成ステップ（ステップＳ１０４）において、複数のアドレスのうち第１アドレスに対応するアラーム情報として、測定ステップにおいて生成された容体情報を含む詳細アラーム情報を生成する。また、この医療用監視方法は、アラーム生成ステップ（ステップＳ１０４）において、複数のアドレスのうち第２アドレスに対応するアラーム情報として、詳細アラーム情報より簡易である簡易アラーム情報を生成する。
【００４３】
この医療用監視方法は、判定ステップにおいて異常と判定されたとき（ステップＳ１０３のＮＯ）、アラーム生成ステップ（ステップＳ１０４）に移行して、アラーム情報を生成する。また、この医療用監視方法は、判定ステップにおいて正常と判定された以降は（ステップＳ１０３のＹＥＳ）待機状態となる。また、この医療用監視方法は、送信ステップ（ステップＳ１０５）においてアラーム情報を送信した以降も待機状態となる。
【００４４】
この医療用監視方法は、測定ステップ（ステップＳ１０１）において被験者４００の容体を測定してから第１時間間隔Ｔ１が経過したとき（ステップＳ１０６のＹＥＳ）、再び測定ステップ（ステップＳ１０１）に移行して、ステップＳ１０１以降のステップを繰り返す。また、この医療用監視方法は、測定ステップ（ステップＳ１０１）において被験者４００の容体を測定してから第１時間間隔Ｔ１が経過する間（ステップＳ１０６のＮＯ）、ステップＳ１０１〜ステップＳ１０５のいずれかを処理しているか、または待機状態であるかである。
【００４５】
また、この医療用監視方法を終了するとき（ステップＳ１０７のＹＥＳ）となったら、この医療用監視方法のフローは終了となる。ここで、図１で説明したアラーム通知システム１０００に本実施形態の医療用監視方法を適用する場合、この医療用監視方法を終了するときとは、医療用監視装置１００の電源断となるとき、または測定部１１１の機能をオフとするとき等である。当然、この医療用監視方法を終了しない間（ステップＳ１０７のＮＯ）、この医療用監視方法は、ステップＳ１０１〜ステップＳ１０５のいずれかを処理しているか、または待機状態であるかである。
【００４６】
ここで、第１の実施形態の効果について述べる。まず、本実施形態は、被験者の容体を示す容体情報に応じて通知先（アドレス）ごとに異なるアラーム情報を生成して、対応する通知先（アドレス）に当該アラーム情報を送信することができる。これにより、通知先ごとに適切な内容のアラーム情報を送信することができる。
【００４７】
また、本実施形態は、アドレスに対応して詳細アラーム情報または簡易アラーム情報を送信することができる。これにより、通知先の相手に応じて詳細アラーム情報または簡易アラーム情報を送信することができる。
【００４８】
さらに、本実施形態は、詳細アラーム情報または簡易アラーム情報の少なくとも一方を電子メール形式で送信することができる。これにより、通知先の情報端末としてパーソナルコンピュータ、モバイル端末、携帯電話機またはＰＨＳ等の汎用的なコンピュータ装置を採用することができる。
【００４９】
〔第２の実施形態〕
図３は、本発明の第２の実施形態に係るアラーム通知システム１０００の機能ブロック図である。本実施形態のアラーム通知システム１０００は、第１の実施形態と同様に医療用監視装置１００、第１情報端末３１０および第２情報端末３２０を備える。また、医療用監視装置１００は、第１の実施形態と同様に情報処理部１１０と記憶部１２０を含んでいる。さらに、情報処理部１１０は、第１の実施形態と同様に測定部１１１、判定部１１２、アラーム生成部１１３および送信部１１４を有している。さらに、記憶部１２０は、第１の実施形態と同様にアドレス記憶部１２１を有している。
【００５０】
記憶部１２０は、判定結果を記憶する判定結果記憶部１２３をさらに有している。また、情報処理部１１０は、判定結果記憶部１２３に判定結果が記憶されるごとに、新たに記憶された新規判定結果と前回記憶された前回判定結果とを比較する比較部１１６を有している。そして、アラーム生成部１１３は、比較部１１６により新規判定結果と前回判定結果とが異なると判定されたとき、アラーム情報（簡易アラーム情報および詳細アラーム情報）を生成する。すなわち、判定部１１２の判定結果が正常から異常へと変化したとき、または異常から正常に変化したとき、アラーム生成部１１３はアラーム情報を生成する。
【００５１】
なお、比較部１１６が新規判定結果と前回判定結果とが等しいと判定する基準は、完全一致ではなくてもよい。少なくとも新規判定結果や前回判定結果に係る時刻情報は比較判定に影響しない。
【００５２】
また、記憶部１２０は、測定部１１１により生成される容体情報を記憶する容体情報記憶部１２２をさらに有している。そして、アラーム生成部１１３は、容体情報記憶部１２２に記憶された容体情報のうち異なる時刻に生成された複数の容体情報を詳細アラーム情報に内包させる。
【００５３】
さらに、アラーム生成部１１３は、容体情報記憶部１２２に記憶された容体情報のうち少なくとも一つの容体情報を簡易アラーム情報に内包させてもよい。さらに、アラーム生成部１１３は、簡易アラーム情報に内包される容体情報と、当該容体情報とは異なる時刻に生成された少なくとも一つの容体情報と、を詳細アラーム情報に内包させてもよい。
【００５４】
例えば、アラーム生成部１１３は、比較部１１６により新規判定結果と前回判定結果とが異なると判定されたとき、新規判定結果と判定された容体情報を簡易アラーム情報に内包させてもよい。このとき、アラーム生成部１１３は、当該容体情報と、当該容体情報が生成された時刻以前の所定時間分（例えば１日分等）の容体情報を詳細アラーム情報に内包させてもよい。
【００５５】
なお、アラーム生成部１１３は、第１の実施形態と同様に、測定部１１１が測定した時刻、判定部１１２が異常と判定した時刻またはアラーム生成部１１３がアラーム情報を生成する時刻等を示す時刻情報を当該アラーム情報に内包させてもよい。
【００５６】
また、アラーム生成部１１３は、「被験者４００の容体が悪化しました」「被験者４００が意識を取り戻したようです」「被験者４００の容体を至急確認してください」等のメッセージ情報をアラーム情報に内包させてもよい。
【００５７】
ここで、容体情報、時刻情報またはメッセージ情報をアラーム情報に内包させるとは、電子メール形式のデータに容体情報を含むデータファイルを添付することであってもよいし、電子メール形式のデータの本文に含めることであってもよい。
【００５８】
さらに、情報処理部１１０は、第１時間間隔Ｔ１よりも長い第２時間間隔Ｔ２ごとに容体情報記憶部１２２に記憶された容体情報の少なくとも一部を内包する通常報告情報を生成する通常報告生成部１１５を有する。そして、送信部１１４は、通常報告生成部１１５により生成された通常報告情報を第１アドレス（第１情報端末３１０）に送信する。
【００５９】
なお、第２時間間隔Ｔ２は一定間隔であってもよく、不定間隔であってもよい。また、第２時間間隔Ｔ２は、デフォルトで設定されていてもよく、操作入力部（図示せず）が受け付けたユーザの操作入力に応じて設定可能であってもよい。
【００６０】
例えば、第１時間間隔Ｔ１が数秒または数十秒程度の時間間隔とすれば、第２時間間隔Ｔ２は数時間または数十時間程度の時間間隔とするのが適切である。当然、測定している被験者４００の容体に応じて適切な時間を設定すればよく、第１時間間隔Ｔ１または第２時間間隔Ｔ２それぞれが上記より長くてもよいし、短くてもよい。
【００６１】
情報処理部１１０は、ネットワーク２００により通信可能なデータ容量を計測する通信容量計測部１１７を含む。そして、アラーム生成部１１３は、通信容量計測部１１７により計測されるデータ容量以下でアラーム情報を生成する。
【００６２】
ここで、アラーム生成部１１３が通信容量計測部１１７により計測されるデータ容量以下でアラーム情報を生成する手段として、アラーム情報を分割してもよいし、圧縮してもよい。また、アラーム生成部１１３は、アラーム情報に内包させる容体情報の総数や総データ量を制限してもよい。
【００６３】
図４は、本実施形態に係る医療用監視方法を表すフローチャートである。本実施形態の医療用監視方法は、測定ステップ（ステップＳ２０１）、判定ステップ（ステップＳ２０３）、アラーム生成ステップ（ステップＳ２０８）および送信ステップ（ステップＳ２０９）を備える。ここに挙げたステップは、第１の実施形態の医療用監視方法に備えられる測定ステップ（ステップＳ１０１）、判定ステップ（ステップＳ１０２）、アラーム生成ステップ（ステップＳ１０４）および送信ステップ（ステップＳ１０５）と同等である。
【００６４】
また、本実施形態の医療用監視方法は、測定ステップ（ステップＳ２０１）において生成される容体情報を記憶する容体情報記憶ステップ（ステップＳ２０２）を備える。そして、この医療用監視方法は、アラーム生成ステップ（ステップＳ２０８）において、容体情報記憶ステップ（ステップＳ２０２）において記憶された容体情報のうち異なる時刻に生成された複数の容体情報を詳細アラーム情報に内包させる。
【００６５】
さらに、この医療用監視方法は、判定結果を記憶する判定結果記憶ステップ（ステップＳ２０４）を備える。さらに、この医療用監視方法は、今回の判定結果記憶ステップ（ステップＳ２０４）において新たに記憶された新規判定結果と、前回の判定結果記憶ステップ（ステップＳ２０４）において記憶された前回判定結果と、を比較する比較ステップ（ステップＳ２０５）を備える。比較ステップにおいて新規判定結果と前回判定結果とが異なると判定されたとき（ステップＳ２０６のＮＯ）、アラーム生成ステップ（ステップＳ２０８）においてアラーム情報を生成する。
【００６６】
なお、この医療用監視方法は、比較ステップにおいて新規判定結果と前回判定結果とが等しいと判定されたとき（ステップＳ２０６のＹＥＳ）、待機状態となる。
【００６７】
さらに、この医療用監視方法は、ネットワーク２００において通信可能なデータ容量を計測する通信容量計測ステップ（ステップＳ２０７）を備える。そして、この医療用監視方法は、アラーム生成ステップ（ステップＳ２０８）に移行して、通信容量計測ステップ（ステップＳ２０７）において計測されるデータ容量以下でアラーム情報を生成する。
【００６８】
さらに、この医療用監視方法は、第１時間間隔Ｔ１よりも長い第２時間間隔Ｔ２ごとに容体情報記憶ステップ（ステップＳ２０２）において記憶された容体情報の少なくとも一部を内包する通常報告情報を生成する通常報告生成ステップ（ステップＳ２１３）を備える。そして、この医療用監視方法は、送信ステップ（ステップＳ２０９）に移行して、通常報告生成ステップ（ステップＳ２１３）において生成された通常報告情報を第１アドレスに送信する。
【００６９】
この医療用監視方法を終了するとき（ステップＳ２１０のＹＥＳ）となったら、この医療用監視方法のフローは終了となる。当然、この医療用監視方法を終了しない間（ステップＳ２１０のＮＯ）、この医療用監視方法は、ステップＳ２０１〜ステップＳ２１３のいずれかを処理しているか、または待機状態であるかである。
【００７０】
この医療用監視方法は、測定ステップ（ステップＳ２０１）において被験者４００の容体を測定してから第１時間間隔Ｔ１が経過したとき（ステップＳ２１１のＹＥＳ）、再び測定ステップ（ステップＳ２０１）に移行して、ステップＳ２０１以降のステップを繰り返す。また、この医療用監視方法は、測定ステップ（ステップＳ２０１）において被験者４００の容体を測定してから第１時間間隔Ｔ１が経過するまでの間（ステップＳ２１１のＮＯ）、ステップＳ２０１〜ステップＳ２１３のいずれかを処理しているか、または待機状態であるかである。
【００７１】
この医療用監視方法は、送信ステップ（ステップＳ２０９）において通常報告情報を送信してから第２時間間隔Ｔ２が経過したとき（ステップＳ２１２のＹＥＳ）、通常報告ステップ（ステップＳ２１３）に移行して通常報告情報を生成する。また、この医療用監視方法は、送信ステップ（ステップＳ２０９）において通常報告情報を送信してから第２時間間隔Ｔ２が経過するまでの間（ステップＳ２１１のＮＯ）、ステップＳ２０１〜ステップＳ２１３のいずれかを処理しているか、または待機状態であるかである。
【００７２】
ここで、第２の実施形態の効果について述べる。まず、本実施形態は容体情報を記憶して、詳細アラーム情報に異なる時刻に生成された容体情報を内包させることができる。これにより、詳細アラーム情報を閲覧した者は、どのような経過で被験者４００の容体が変化したのか認識することができる。
【００７３】
また、本実施形態は、簡易アラーム情報にも容体情報を少なくとも一つ内包させることができる。これにより、簡易アラーム情報を閲覧した者は、どの容体（心拍数、血圧値、呼吸数、動脈血の酸素飽和度等）が変化したのか認識することができる。
【００７４】
さらに、本実施形態は、第１時間間隔Ｔ１よりも長い第２時間間隔Ｔ２ごとに通常報告情報を生成して第１アドレス（第１情報端末３１０）に送信することができる。これにより、アラーム情報に含まれない容体情報も第１情報端末３１０にて蓄積することができる。
【００７５】
さらに、本実施形態は、時々刻々変化する通信可能なデータ容量を測定し、測定されたデータ容量以下でアラーム情報を生成することができる。これにより、アラーム情報、特に詳細アラーム情報のデータ容量が過大となって通信エラーとなることを防ぐことができる。
【００７６】
さらに、本実施形態は、新規判定結果と前回判定結果とが異なるとき、アラーム情報を生成して送信することができる。これにより、容体が正常から異常になったときだけではなく、異常から正常になったとき（容体が回復したとき）にもアラーム情報を送信することができる。
【００７７】
〔第３の実施形態〕
図５は、本発明の第３の実施形態に係るアラーム通知システム１０００の機能ブロック図である。本実施形態のアラーム通知システム１０００は、第２の実施形態と同様に医療用監視装置１００、第１情報端末３１０および第２情報端末３２０を備える。また、医療用監視装置１００は、第２の実施形態と同様に情報処理部１１０と記憶部１２０を含んでいる。さらに、情報処理部１１０は、第２の実施形態と同様に測定部１１１、判定部１１２、アラーム生成部１１３、送信部１１４、通常報告生成部１１５、比較部１１６および通信容量計測部１１７を有している。さらに、記憶部１２０は、第２の実施形態と同様にアドレス記憶部１２１、容体情報記憶部１２２および判定結果記憶部１２３を有している。
【００７８】
情報処理部１１０は、被験者４００と当該被験者４００の周囲を撮像して生成される画像データを容体情報として処理する撮像処理部１１８をさらに有する。また、情報処理部１１０は、撮像処理部１１８により生成された画像データを解析することにより被験者４００の位置を検出する位置検出部１１９をさらに有する。そして、判定部１１２は、当該被験者４００の位置が所定範囲内に収まらないとき異常と判定する。また、判定部１１２は、当該被験者４００の位置が所定範囲内に収まっているとき正常と判定する。
【００７９】
撮像処理部１１８は、カメラ１３３により生成された画像データを取得して処理する。このカメラは暗室撮影も可能な赤外線カメラ等が望ましい。なお、カメラ１３３は医療用監視装置１００の一部であってもよいし、医療用監視装置１００が装着可能な外部ツールであってもよい。
【００８０】
本実施形態の医療用監視装置１００は、被験者４００の位置を容体として扱う。すなわち、自力移動が困難な患者や精神障害等によって夜間徘徊の症状を抱える患者が移動したことを検知して異常と判定するものである。
【００８１】
また、判定部１１２は、被験者４００の位置の判定に限らず、測定部１１１により生成される容体情報の判定も併せて行う。
【００８２】
撮像処理部１１８により処理された画像データは、容体情報として容体情報記憶部１２２に記憶されてもよい。
【００８３】
また、アラーム生成部１１３は、撮像処理部１１８により処理された画像データを容体情報としてアラーム情報に内包させてもよい。
【００８４】
本実施形態において、医療用監視装置１００は画像データを内包させたアラーム情報を送信するので、比較的大きな通信容量を確保する必要がある。よって、医療用監視装置１００（送信部１１４）は、ネットワーク２００に有線接続することが望ましい。この場合、医療用監視装置１００の移動は有線接続により制限されるが、移動不可である被験者４００の監視に用いることを想定しているので、大きな問題とはならない。
【００８５】
図６は、本実施形態に係る医療用監視方法を表すフローチャートである。本実施形態の医療用監視方法は、測定ステップ（ステップＳ３０１）、容体情報記憶ステップ（ステップＳ３０４）、判定ステップ（ステップＳ３０５）、判定結果記憶ステップ（ステップＳ３０６）、比較ステップ（ステップＳ３０７）、通信量計測ステップ（ステップＳ３０９）、アラーム生成ステップ（ステップＳ３１０）、送信ステップ（ステップＳ３１１）および通常報告生成ステップ（ステップＳ３１５）を備える。ここに挙げたステップは、第２の実施形態の医療用監視方法に備えられる測定ステップ（ステップＳ２０１）、容体情報記憶ステップ（ステップＳ２０２）、判定ステップ（ステップＳ２０３）、判定結果記憶ステップ（ステップＳ２０４）、比較ステップ（ステップＳ２０５）、通信量計測ステップ（ステップＳ２０７）、アラーム生成ステップ（ステップＳ２０８）、送信ステップ（ステップＳ２０９）および通常報告生成ステップ（ステップＳ２１３）と同等である。
【００８６】
また、この医療用監視方法は、被験者４００と当該被験者４００の周囲を撮像して生成される画像データを容体情報とする撮像処理ステップ（ステップＳ３０２）を備える。さらに、この医療用監視方法は、撮像処理ステップ（ステップＳ３０２）において処理された画像データを解析することにおいて被験者４００の位置を検出する位置検出ステップ（ステップＳ３０３）を備える。さらに、この医療用監視方法は、判定ステップ（ステップＳ３０５）において、当該被験者４００の位置が所定範囲内に収まらないとき異常と判定する。
【００８７】
ここで、第３の実施形態の効果について述べる。まず、被験者４００の位置が所定範囲内に収まっていないとき異常と判定する。これにより、自力移動が困難な患者がベッドから転落したことや、患者が夜間徘徊していること等を検知することができる。
【００８８】
また、本実施形態は、処理された画像データをアラーム情報に内包して送信する。これにより、当該アラーム情報を閲覧した者は、被験者４００の容体を画像データから認識することができる。
【００８９】
さらに、本実施形態は、ネットワーク２００に有線接続しているので、比較的大きなデータ容量のアラーム情報を送信することができる。また、無線通信の圏外エリアにおいても使用することができる。そして、通信可能なデータ容量の推移も安定するので、通信エラーの発生も低減できる。
【００９０】
以上、図面を参照して本発明の実施形態について述べたが、これらは本発明の例示であり、上記以外の様々な構成を採用することもできる。
【００９１】
例えば、アラーム生成部１１３は、比較部１１６により繰り返された判定の結果が、新規判定結果と前回判定結果とが異なると判定された後、新規判定結果と前回判定結果とが等しいと所定の回数判定されたとき、アラーム情報を生成してもよい。これにより、一時的な判定結果の変化によるアラーム情報の誤送信を防ぐことができる。
【００９２】
また、図２において、判定ステップにおいて正常と判定されたとき（ステップＳ１０３のＹＥＳ）、または送信ステップ（ステップＳ１０５）を終えたとき、ステップＳ１０６に移行するように図示している。これは、ステップＳ１０１〜ステップＳ１０５が第１時間間隔Ｔ１より短い時間で処理される場合において正しい。ステップＳ１０１〜ステップＳ１０５が第１時間間隔Ｔ１より長い時間で処理される場合、ステップＳ１０１の処理は他の処理と並行して処理されてもよい。当然、図４および図６においても同様である。
【００９３】
また、図２において、ステップＳ１０７において本発明の医療用監視方法のフローを終了するか否か選択しているが、当該ステップは本発明の医療用監視方法のフロー中のどのタイミングで実行されてもよい。このとき、当該ステップが他のステップの処理途中で実行された場合、当該他のステップは処理途中で強制終了としてもよいし、当該他のステップとそれに伴うステップの処理が終了してから終了としてもよい。当然、図４および図６においても同様である。
【００９４】
さらに、第３の実施形態において医療用監視装置１００はネットワーク２００と有線接続するものとして記載した。しかし、本発明の医療用監視装置１００はネットワーク２００と無線接続して、被験者４００が携帯可能なように実現されてもよい。
【００９５】
さらに、本発明の通常報告生成部１１５は、通信容量計測部１１７により計測されるデータ容量以下で通常報告情報を生成してもよい。これにより、通常報告情報のデータ容量が過大となって通信エラーとなることを防ぐことができる。
【００９６】
なお、当然ながら、上述した実施の形態および複数の変形例は、その内容が相反しない範囲で組み合わせることができる。また、上述した実施の形態および変形例では、各構成要素の機能などを具体的に説明したが、その機能などは本願発明を満足する範囲で各種に変更することができる。
【００９７】
また、本発明の医療用監視方法には複数のステップを順番に記載してあるが、その記載の順番は複数のステップを実行する順番を限定するものではない。このため、本発明の医療用監視方法を実行するときには、その複数のステップの順番は内容的に支障しない範囲で変更することができる。
【符号の説明】
【００９８】
１０００  アラーム通知システム
１００    医療用監視装置
１１０    情報処理部
１１１    測定部
１１２    判定部
１１３    アラーム生成部
１１４    送信部
１１５    通常報告生成部
１１６    比較部
１１７    通信容量計測部
１１８    撮像処理部
１１９    位置検出部
１２０    記憶部
１２１    アドレス記憶部
１２２    容体情報記憶部
１２３    判定結果記憶部
１３１    センサ
１３２    センサ
１３３    カメラ
２００    ネットワーク
３１０    情報端末
３２０    情報端末
４００    被験者
【図１】
2010220759.tif 000003
【図２】
2010220759.tif 000004
【図３】
2010220759.tif 000005
【図４】
2010220759.tif 000006
【図５】
2010220759.tif 000007
【図６】
2010220759.tif 000008